(57)【特許請求の範囲】
【請求項１】
表シートと裏シートを１枚の樹脂製の表裏シートで構成し、裏シートの一端部が延出するように折り曲げて、この折り曲げ部で地縁を形成し、両側縁は溶着してなり、表シートと裏シートの間に配置した仕切りシートは上端部を除いて幅狭に形成し、仕切りシートの上端部は、表シートから露出して両側縁で裏シートに溶着し、仕切りシートの上端部を除く両側縁は、表裏シートの両側縁の溶着部分の内側に位置し、裏シートと仕切りシートで形成する空間を小冊子収納部となし、仕切りシートと表シートを両側縁を除く部分で帯状に溶着して複数のカード収納部を区画形成してなることを特徴とするカードフォルダ。
【請求項２】
請求項１に記載のカードフォルダの製造方法であって、仕切りシートを、その地縁が１枚の表裏シートの折り曲げ部に対応するよう表シート部分に載置し、仕切りシートと表シートを両側縁を除く部分で帯状に溶着し、前記折り曲げ部で表裏シートを仕切りシートを挟むように折り重ね、表裏シート及び仕切りシート上端部の互いに重なり合った両側縁を帯状に溶着して、複数のカード収納部と小冊子収納部を形成することを特徴とするカードフォルダの製造方法。
【発明の詳細な説明】
【技術分野】
【０００１】
本発明は、小冊子収納部とカード収納部を備えたカードフォルダ及びその製造方法に関する。
【背景技術】
【０００２】
一般に、カードフォルダは、カードのみを収納するよう構成されている（例えば、特許文献１）。
【０００３】
【特許文献１】特開昭６１−１７７２９７号公報
【０００４】
このため、カードとともに、小冊子やチラシを収納したい場合に対応できないという不都合があった。
【発明の開示】
【発明が解決しようとする課題】
【０００５】
本発明は、このような事情に鑑みてなされたもので、カードとともに、小冊子やチラシを収納できるカードフォルダ及びその製造方法を提供することを目的とする。
【課題を解決するための手段】
【０００６】
【０００７】
【０００８】
この目的を達成するために、本発明の請求項１に係るカードフォルダは、表シートと裏シートを１枚の樹脂製の表裏シートで構成し、裏シートの一端部が延出するように折り曲げて、この折り曲げ部で地縁を形成し、両側縁は溶着してなり、表シートと裏シートの間に配置した仕切りシートは上端部を除いて幅狭に形成し、仕切りシートの上端部は、表シートから露出して両側縁で裏シートに溶着し、仕切りシートの上端部を除く両側縁は、表裏シートの両側縁の溶着部分の内側に位置し、裏シートと仕切りシートで形成する空間を小冊子収納部となし、仕切りシートと表シートを両側縁を除く部分で帯状に溶着して複数のカード収納部を区画形成してなることを特徴とする。この構成によると、２枚のシートを溶着するだけなので、シートが厚い場合でも、確実な溶着が可能となる、という利点がある。
【０００９】
同じく上記目的を達成するために、本発明の請求項２に係るカードフォルダの製造方法は、上述の請求項１に記載のカードフォルダを製造する方法であって、仕切りシートを、その地縁が１枚の表裏シートの折り曲げ部に対応するよう表シート部分に載置し、仕切りシートと表シートを両側縁を除く部分で帯状に溶着し、前記折り曲げ部で表裏シートを仕切りシートを挟むように折り重ね、表裏シート及び仕切りシート上端部の互いに重なり合った両側縁を帯状に溶着して、複数のカード収納部と小冊子収納部を形成し、カードフォルダとすることを特徴とする。
【発明の効果】
【００１０】
本発明に係るカードフォルダによれば、カードのみならず、小冊子やチラシも収納できるので、極めて便利であり、また、本発明に係るカードフォルダの製造方法によれば、カードのみならず、小冊子やチラシも収納できるカードフォルダを効率的に製造できる、という効果を奏する。
【発明を実施するための最良の形態】
【００１１】
以下、本発明の好適な実施形態を添付図面に基づき説明する。ここにおいて、図１〜図３は比較例を示し、図１はカードフォルダの平面図、図２は図１のＡ−Ａ線断面図、図３は同じくＢ−Ｂ線断面図である。また、図４〜図７は第１の実施形態を示し、図４はカードフォルダの平面図、図５は図４のＣ−Ｃ線断面図、図６は同じくＤ−Ｄ線断面図、図７は仕切りシートを表裏シートに重ねる状態を示す斜視図である。
【００１２】
まず、図１〜図３に基づいて比較例を説明すると、カードフォルダ１は、幅方向の長さがほぼ同一で、天地方向の長さが異なる透明樹脂製の裏シート２、仕切りシート３、表シート４を、互いの両側縁及び地縁が一致するように、裏シート２、仕切りシート３、表シート４の順に階段状に重ね合わせて積層し、天縁を除いた三周縁を互いに溶着してなる。この溶着により地縁に底部が形成される。図１〜図３において、５，６は溶着部分を示している。
【００１３】
また、仕切りシート３と表シート４の幅方向中央部分を帯状に溶着して、２つのカード収納部７，８を区画形成している。図１及び図２において、９は溶着部分を示している。そして、裏シート２と仕切りシート３で形成される空間部が、小冊子収納部１０を構成する。さらに、仕切りシート３の上端縁には、ほぼ半円状の切り欠き部１１を形成し、同様に、表シート４の上端縁には、ほぼ半円状の切り欠き部１２，１３を形成して、小冊子やカード（ともに図示せず）の各収納部７，８，１０に対する収納、取り出しが容易に行えるようにしている。
【００１４】
図１及び図３に示すように、裏シート２の一側縁には、ミシン目１４を介して透明樹脂製の補助シート１５を切り取り可能に設けている。この補助シート１５は、カードフォルダ１を郵送する際に、封筒内でカードフォルダ１が暴れて、封筒の折り部を破断しないように、封筒の大きさに合致するようカードフォルダ１の大きさを調整するためのものである。
【００１５】
上述の比較例によれば、各カード収納部７，８にカードを収納し、小冊子収納部１０にカードに関連した情報を記載した小冊子やチラシを収納して、２枚のカードとともに小冊子やチラシを送付することができるほか、補助シート１５を設けたので、封筒を用いた郵送を好適に行うことができる。
【００１６】
次に、本発明の第１実施形態を図４〜図７に基づいて説明する。本実施形態のカードフォルダ２１は、図５及び図７で理解できるように、透明樹脂製の表シート２４と裏シート２２を１枚の樹脂シートで構成して表裏シート２６となし、仕切りシート２３は上端部２５を除いて幅狭に形成している。表裏シート２６の表シート２４と裏シート２２との境は図７に仮想線で示す折り曲げ部２７となり、この折り曲げ部２７で表裏シート２６を、裏シート２２の一端部が延出するように折り曲げて、両側縁を溶着している。図４及び図６において、２８は前記溶着部分を示している。また、前記折り曲げ部２７で地縁を形成している。
【００１７】
一方、図４〜図６に示すように、表シート２４と裏シート２２に挟まれた仕切りシート２３は、その上端部２５が表シート２４から露出し、上端部２５の両側縁で裏シート２２に溶着しており、前記上端部２５を除く両側縁は、表裏シート２６の両側縁の溶着部分２８の内側に位置している。図４において、２９は前記仕切りシート２３と裏シート２２の溶着部分を示している。
【００１８】
また、図４及び図６に示すように、仕切りシート２３と表シート２４の幅方向中央部分を帯状に溶着して、２つのカード収納部３０，３１を区画形成してなる。図４及び図６において、３２は溶着部分を示している。そして、裏シート２２と仕切りシート２３で形成される空間部が、小冊子収納部３３を構成する。さらに、仕切りシート２３の上端縁には、ほぼ半円状の切り欠き部３４を形成し、同様に、表シート２４の上端縁には、ほぼ半円状の切り欠き部３５，３６を形成して、小冊子やカード（ともに図示せず）の各収納部３０，３１，３３に対する収納、取り出しが容易に行えるようにしている。
【００１９】
この第１の実施形態のカードフォルダ２１によると、溶着部分が３２である表シート２４と仕切りシート２３、溶着部分が２８である表シート２４と裏シート２２、溶着部分が２９である仕切りシート２３と裏シート２２というように、２枚のシートを溶着するだけなので、シートが厚い場合でも、確実な溶着が可能となる。
【００２０】
続いて、上述の第１実施形態に係るカードフォルダ２１の製造方法を説明する。まず、図７で理解できるように、仕切りシート２３を、その地縁が表裏シート２６の折り曲げ部２７に対応するよう表シート２４部分に載置する。次いで、仕切りシート２３と表シート２４を幅方向中央部分で両側縁と平行に帯状に溶着する（溶着部分は３２）。次いで、折り曲げ部２７で表裏シート２６を仕切りシート２３を挟むように折り重ね、表裏シート２６及び仕切りシート上端部２５の互いに重なり合った両側縁を帯状に溶着して（溶着部分は２８，２９）、図４〜図６に示す、２つのカード収納部３０，３１と小冊子収納部３３を有するカードフォルダ２１とする。
【００２１】
なお、本発明は、上述した実施形態に限定されるものではなく、例えば、比較例における補助シート１５は必ずしも設ける必要はないが、これを第１実施形態のカードフォルダ２１に設けることも可能である。また、カード収納部７，８，３０，３１は、３つ以上設けてもよい。さらに、各樹脂製のシート２，３，４，２２，２３，２４は、透明に限らず、半透明や不透明でもよい。またさらに、比較例における底部を、溶着ではなく、表シート４と裏シート２を連接して１枚の表裏シートとなし、連接部分を折り曲げ部として、この折り曲げ部で形成してもよい。
【図面の簡単な説明】
【００２２】
【図１】比較例のカードフォルダを示す平面図。
【図２】図１のＡ−Ａ線断面図。
【図３】図１のＢ−Ｂ線断面図。
【図４】第１実施形態のカードフォルダを示す平面図。
【図５】図４のＣ−Ｃ線断面図。
【図６】図４のＤ−Ｄ線断面図。
【図７】第１実施形態の仕切りシートを表裏シートに重ねる状態を示す斜視図。
【符号の説明】
【００２３】
１，２１      カードフォルダ
２，２２      裏シート
３，２３      仕切りシート
４，２４      表シート
５，６，９，２８，２９，３２      溶着部分
７，８，３０，３１      カード収納部
１０，３３      小冊子収納部
２５      上端部
２６      表裏シート
２７      折り曲げ部
【図１】
0005129593.tif 000002
【図２】
0005129593.tif 000003
【図３】
0005129593.tif 000004
【図４】
0005129593.tif 000005
【図５】
0005129593.tif 000006
【図６】
0005129593.tif 000007
【図７】
0005129593.tif 000008